(57)【特許請求の範囲】
【請求項１】
液体不透過性の第１のシート材と、
液体透過性の第２のシート材と、
前記第１のシート材と第２のシート材との間に配置された吸収体と
を備えており、
少なくとも前記第２のシート材の下に位置する吸収体の密度を部分的に高くすることにより設けた、第１の液体搬送部によって略円形もしくは略楕円形に包囲することにより形成された初期吸収部と、
前記初期吸収部の近傍から、斜めに延びるように、吸収体の密度を部分的に高くすることにより設けた第２の液体搬送部と
を備え
かつ前記初期吸収部が、使用者により尿等の液体成分が排出された際に、該液体成分が先ず当たる箇所としての前記使用者の身体前部側の体液排泄部もしくは身体後部側の体液排泄部に対応する位置に設けられている
ことを特徴とする、吸収性製品。
【請求項２】
前記第１及び第２の液体搬送部は、少なくとも前記第２のシート材の下に位置する吸収体に凹状の溝を形成することにより設けられており、前記第２の液体搬送部である凹状の溝は、溝の延びる方向に沿って断続的に設けられていることを特徴とする、請求項１に記載の吸収性製品。
【請求項３】
前記第２の液体搬送部である凹状の溝は、前記初期吸収部を包囲する第１の液体搬送部である凹状の溝と接続されていることを特徴とする、請求項１または２のいずれかに記載の吸収性製品。
【請求項４】
前記第２のシート材は所定の幅を有して一方向に長い形状でなり、前記第２の液体搬送部である凹状の溝は、前記初期吸収部の近傍から、第２のシート材の隅部に向かって延びていることを特徴とする、請求項１ないし３のいずれかに記載の吸収性製品。
【請求項５】
前記第２の液体搬送部である凹状の溝は、前記初期吸収部にて交差するように配置されていることを特徴とする、請求項４に記載の吸収性製品。
【請求項６】
前記第２の液体搬送部である凹状の溝の第２のシート材の隅部に位置する端部どうしを接続するように、第２のシート材の両側縁部に沿って、第３の液体搬送部である側縁溝がそれぞれ設けられていることを特徴とする、請求項５に記載の吸収性製品。
【請求項７】
前記第２の液体搬送部である凹状の溝のうち、使用者の身体の前面側に設けられた溝だけが前記初期吸収部を包囲する凹状の溝と接続されていることを特徴とする、請求項３ないし６のいずれかに記載の吸収性製品。
【請求項８】
前記第１及び／または第２の液体搬送部である凹状の溝の上に、吸収材を配置したことを特徴とする、請求項１ないし７のいずれかに記載の吸収性製品。
【発明の詳細な説明】
【０００１】
【発明の属する技術分野】
この発明は、例えば使い捨てのオシメ等に適用される尿等の液体の吸収製品の改良に関するものである。
【０００２】
【従来の技術】
このような吸収製品として、例えば従来の使い捨てのオシメは、例えば図１２に示すように構成されている。
一般に、このようなオシメ１は、使用者が装着した状態において、尿や便等の排泄部を覆い得るように、前後に長い形状でなっている。このオシメ１の外面となる箇所には、液体不透過性のシート材２が適用され、その内側には尿等の液体を吸収するための吸収体が配置され、さらにその内側で使用者の肌と接触する箇所には、液体を透過するシート材３が配置されている。
【０００３】
そして、一般にこのようなオシメ１は、使用者が装着したときに、使用者の股を包囲するように、ギャザー等でなるシール手段４を備えている。このシール手段４により、尿等の液体がオシメ１の外部に流れて、下着等を汚してしまうことを防止している。
【０００４】
【発明が解決しようとする課題】
ところで、このようなオシメ１では、これを装着して使用中に、尿等の液体が短時間に多量に排泄される場合がある。この場合には、排泄された尿は、使用者の肌に当接している液体透過性のシート材３の表面のある箇所に集中して当たることになる。
【０００５】
この液体透過性のシート材３の下には、上述したように吸収体が配置されて、この尿等を吸収するようになっているが、実際には一瞬で多量に排泄された尿が所定箇所に集中するために、吸収体は尿等をこの短時間では吸収しきれず、シート材３の表面で拡がり、シート材３の長さ方向の端部にまで届いてその下の吸収体に吸収される前に、横方向の股部等から漏れてしまうことがあった。
【０００６】
特に、使用者がオシメ１を装着した状態で排尿されると、多量の尿が一時に背中の方向（オシメ１の長さ方向）に移動し、その長さ方向端部から漏れてしまうことがある。
上述のいずれの場合においても、オシメ１の隅部に相当するシート材３の端部付近の下にある吸収体は、尿等の液体を吸収することができず、図１２において、例えば斜線で示すような領域に配置された吸収体が機能しないという問題があった。
【０００７】
本発明は、このような問題を解決するためになされたもので、装着者の排出する液体等を速やかにシート材の端部方向に導いて、広い範囲で吸収体を機能させることにより、尿等の液体を外部に漏らすことなく、完全に内側にシールできる吸収性製品を提供することを目的としている。
【０００８】
【課題を解決するための手段】
上記目的は、請求項１の発明にあっては、液体不透過性の第１のシート材と、液体透過性の第２のシート材と、前記第１のシート材と第２のシート材との間に配置された吸収体とを備えており、少なくとも前記第２のシート材の下に位置する吸収体の密度を部分的に高くすることにより設けた、第１の液体搬送部によって略円形もしくは略楕円形に包囲することにより形成された初期吸収部と、前記初期吸収部の近傍から、斜めに延びるように、吸収体の密度を部分的に高くすることにより設けた第２の液体搬送部とを備えかつ前記初期吸収部が、使用者により尿等の液体成分が排出された際に、該液体成分が先ず当たる箇所としての前記使用者の身体前部側の体液排泄部もしくは身体後部側の体液排泄部に対応する位置に設けられている、吸収性製品により、達成される。
【０００９】
請求項１の構成によれば、第２のシート材は、排泄された尿等の液体を透過してその下の吸収体に吸収させるように機能する。
第１のシート体は、吸収材に保持された前記液体成分が外部にしみださないように機能する。
ここで、上記構成において、初期吸収部は、その周囲を第１の液体搬送部により包囲されていることから、この初期吸収部に当たった尿等の液体は、きわめて短時間に周囲の液体搬送部に吸引される。このために、初期吸収部は、一瞬で比較的多量の液体成分を吸収することができると考えられる。
ここで、本発明の液体搬送部は、吸収体の密度を部分的に高くすることにより形成される。つまり、吸収体の密度を部分的に高くすると、密度が低い周囲部分と比べて、毛細管現象により、水分を速やかに吸収することができる。したがって、尿等の液体成分を搬送したい方向にそって、吸収体の密度を高めた領域を形成すると、速やかに液体を上記方向に搬送することができる。
したがって、排泄時においては、排泄初期において一時に多量に排泄された尿等の液体成分は、直ちに初期吸収部に吸収され、これを円形もしくは楕円形に包囲する第１の液体搬送部、初期吸収部近傍に配置された第２の液体搬送部を通って案内される。この場合、第２の液体搬送部は、初期吸収部の近傍から、斜めに延びるように設けられているから、吸収体の、特に、隅の領域に対して、尿等の液体を適切かつ速やかに導くことができる。
なお、この場合、初期吸収部は、溝により完全に包囲されている必要はなく、溝は一部で途切れていても、液体の搬送の方向性を与えることができるので、初期吸収部を画成するに足る形状で形成されていればよい。
【００１０】
請求項２の発明は、請求項１の構成において、前記第１及び第２の液体搬送部は、少なくとも前記第２のシート材の下に位置する吸収体に凹状の溝を形成することにより設けられており、前記第２の液体搬送部である凹状の溝は、溝の延びる方向に沿って断続的に設けられていることを特徴とする。
【００１１】
請求項２の構成によれば、第１及び第２の液体搬送部の形成に際して、吸収体を押圧して凹状の溝とすることにより、この溝の下側の吸収材の密度が高くなることにより設けている。これにより、容易に高密度な領域を形成できるとともに、水分は、溝の下側の材料の密度が高い箇所に急速に吸い込まれる。第２の液体搬送部である凹状の溝は、前記初期吸収部から断続的に延びている。この場合、溝の下側に入り込んだ液体成分は、溝が途切れた箇所まで急速に搬送された後、密度の粗い吸収体にしみ込むが、これに続く溝の下側部分にさらに吸引されることになる。このため、第２の液体搬送部としての凹状の溝は断続的に形成する場合にも、断続的に延びる方向に沿って液体の搬送方向を案内することができ、液体成分を適切に導くことができる。
【００１４】
請求項３の発明は、請求項１または２のいずれかの構成において、前記第２の液体搬送部である凹状の溝は、前記初期吸収部を包囲する第１の液体搬送部である凹状の溝と接続されていることを特徴とする。
【００１５】
請求項３の構成によれば、第２のシート表面に形成した第２の液体搬送部である凹状の溝は、初期吸収部を囲む第１の液体搬送部である凹状の溝と接続されることによって、尿等の液体が、より早いスピードで導かれる。
【００１６】
請求項４の発明は、請求項１ないし３のいずれかの構成において、前記第２のシート材は所定の幅を有して一方向に長い形状でなり、前記第２の液体搬送部である凹状の溝は、前記初期吸収部の近傍から、第２のシート材の隅部に向かって延びていることを特徴とする。
【００１７】
請求項４の構成によれば、一方向に長い形状でなる第２のシートの下部にある吸収体の、特に隅部に対して、尿等の液体を適切に導くことができる。
【００１８】
請求項５の発明は、請求項４の構成において、前記第２の液体搬送部である凹状の溝は、前記初期吸収部にて交差するように配置されていることを特徴とする。
【００１９】
請求項５の構成によれば、凹状の溝の交差位置に排泄された尿等の液体を、この交差部から周囲に向かって適切に導くことができる。
ここで、交差部とは、溝自体が交差していなくても、溝の内側の延長方向が交差する構成となっていればよい。
【００２０】
請求項６の発明は、請求項５の構成において、前記第２の液体搬送部である凹状の溝の第２のシート材の隅部に位置する端部どうしを接続するように、第２のシート材の両側縁部に沿って、第３の液体搬送部である側縁溝がそれぞれ設けられていることを特徴とする。
【００２１】
請求項７の発明は、請求項３ないし６のいずれかの構成において、前記第２の液体搬送部である凹状の溝のうち、使用者の身体の前面側に設けられた溝だけが前記初期吸収部を包囲する凹状の溝と接続されていることを特徴とする。
請求項７の構成によれば、使用者がオシメを装着した状態で、仰向けに寝た状態において、排尿等があった場合に、最も尿等を導きにくい身体の前面側に尿等を送ることができる。
【００２２】
請求項８の発明は、請求項１ないし７のいずれかの構成において、前記第１及び／または第２の液体搬送部である凹状の溝の上に、吸収材を配置したことを特徴とする。
【００３７】
【発明の実施の形態】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００３８】
図１は、本発明の実施形態による吸収性製品の一例としてのオシメの全体を示す概略斜視図であり、図２はこのオシメの内側を上にして示した上面図である。また、図３は図２のＡ−Ａ線断面図、図４は図２のＢ−Ｂ線断面図である。
【００３９】
図１のオシメ１０は、外側に第１のシート材１１を有し、図３に示すように、その内側には、吸収体１６を配置し、さらに内側には、第２のシート材１２を備えている。
上記第１のシート材１１は、液体を通さないが、好ましくは水蒸気を透過させて蒸れを防止でき、ある程度可撓性を備えている材料が選択されることにより、オシメ１０の内側の内容物（汚物）が外部に漏れ出ないようになっている。このため、この第１のシート材１１の材質としては、薄いプラスチックフィルム，具体的には、ポリエチレンフィルムやポリエチレンラミネート紙等が選択される。
【００４０】
第２のシート材１２は、直接使用者の肌に触れるため、肌を必要以上に損なうことなく、肌触りのよい点等を考慮して、これに適した材料が選択される。さらには、第２のシート材１２は、液体を透過させ、特に速やかに液体成分が透過されるのに適した材質の繊維として、種々の天然繊維、合成繊維、あるいはこれらの組み合わせから適宜選択される。
上記合成繊維としては、例えばポリエステルやポリプロピレンのファイバーを素材として、液体透過性をよくするように形成した繊維が好適である。
【００４１】
上記第１のシート材１１及び第２のシート材は、例えば図示のように、オシメとして使用した場合に適した大きさと形状にされて、重ねて固定される。この固定方法は、例えば周縁部の全部または一部やこれより内側の箇所において、接着したり、縫着したりして、適宜固定される。
互いに重ねた第１のシート材１１と第２のシート材１２は、吸収性製品としてオシメを構成する場合には、例えば図２のような形状にされる。
【００４２】
図２において、このオシメ１０は、全体としてほぼ長方形を呈しており、各長辺を構成する互いに対向する縁部１７及び１８は、図示しないが、その中央付近において内側に曲線状に凹部となった股ぐり部を設けてもよい。
また、オシメ１０は、縦方向（図において上下の方向）にほぼ三分される３つの領域を有しており、図において上から第１の領域２１、第２の領域２２、第３の領域２３を備えている。第１の領域２１は、使用者がオシメ１０を装着した場合の尻から腰下部の後側に対応する領域に対応しており、第２の領域２２は、使用者の会陰を含む股部に対応し、第３の領域２３は、使用者の腰下部の前側の領域に対応している。
【００４３】
図３に示すように、上記第１のシート材１１と第２のシート材１２の間には吸収体１６が配置される。この吸収体１６は、第２のシート材１２を透過して浸透した液体成分を吸収して、保持する役割を果たす。したがって、液体吸収性に優れる材質のものが使用される。
このような材料としては、例えば吸収体としてのパルプに吸収材であるポリマーを混合したり、パルプにポリマーを散布したりして形成するパルプ吸収体もしくは後述するポリマーが好適である。
ここで、パルプは、例えば木材を機械的または化学的処理して、抽出したセルロース繊維の集合体であり、これを線状またはシート状にしたものが用いられる。吸収材としてのポリマーは、例えば吸水性の重合体が適しており、例えばポリアクリル酸塩系共重合体、澱粉−アクリロニトリルグラフト共重合体の加水分解物、澱粉−アクリル酸グラフト共重合体、ポリビニルアルコール−アクリル酸塩共重合体、カルボキシメチルセルロース変成物等が挙げられる。
さらに、この吸収体１６には、殺菌剤を含有させることができ、これにより、尿中の尿素から細菌がアンモニアを生成することが防止できる。これにより、肌あれを生じる事などを有効に防止できる。このような殺菌剤としては、例えば塩化ベンザルコニウム、グルコン酸クロルヘキシジン等が挙げられる。
【００４４】
この実施形態では、吸収体１６は、第１の吸収体１６ａと第２の吸収体１６ｂとに分けて、重ねて収容されている。
すなわち、図３及び図４に示されているように、第２のシート材１２の下には、ティッシュ２１を配して、その下に第１の吸収体１６ａが配置され、この第１の吸収体１６ａの下には、ティッシュ２２で包んだ第２の吸収体１６ｂが配置されている。
【００４５】
さらに、オシメ１０には、第１のフラップ部１３及び第２のフラップ部１４が形成されている。
上記第１及び第２のフラップ部は、図２に示すように、オシメ１０の互いに対向する各側縁部１７，１８に沿って設けられている。ここで、「外側」とは、図２の仮想線ＣＬを基準として、この仮想線ＣＬに関して、ＣＬに近い方を「内側」とし、これから離れる方向を「外側」とする。
【００４６】
第１のフラップ部１３は、図２に示すように、オシメ１０の各側縁において一定の幅で長手方向に延びるようにそれぞれ形成されている。
この第１のフラップ部１３は、図３及び図４に示すように、上記した第１のシート材１１の側縁部を外方に延長した部分と、後述する第２のフラップ部を形成する材料の側縁部とを重さねて、帯状に形成したものである。
【００４７】
この第１のフラップ部１３は、ある程度の剛性と可撓性を備えた材料により形成され、例えば、ポリオレフィン系不織布あるいはポリエステル系不織布と薄いプラスチックフィルムの組み合わせ，ポリエステル系不織布等とポリエチレンフィルムの組み合わせ等が適している。
このため、第１のフラップ部１３は、使用者がオシメ１０を装着した時に、その股部付近の両太股部の内周側の曲線形状に追随して、これを包囲し、かつこの太股部に当接して密着できるように、その形が保持されるようになっている。
これにより、第１のフラップ部１３は、後述する使用者の排泄物を股部近傍の太股付近においてシールする役割を果たす。
【００４８】
第２のフラップ部１４は、図３及び図４に示されているように、上記第１のフラップ部１３に隣接して、これより内側（図２の仮想線ＣＬ側）に配置されている。
この第２のフラップ部１４は、図２に示されているように長手方向に延びる帯状の部材１５で形成されている。
つまり、図３及び図４に示されているように、帯状の部材１５の内側側面１４ａは、その先端側が折り返されて、例えばゴム状の長い弾性材料１７が長手方向にそって挿通されている。そして、帯状部材１５の中間付近は、第２のシート材１２の側縁部と固定されている。
【００４９】
一方、帯状部材１５の外側縁部は、第１のシート材１１の側縁部に重ねて固定されることによって、上述したように第１のフラップ１３を形成している。この第１のフラップ１３の端部にも長手方向に沿ってゴム状の長い弾性材料１９が挿通固定されている。
これにより、第１のフラップ１３は、使用者の股部に密着する股ギャザーとして機能する。
【００５０】
ここで、第２のフラップ部１４を構成する帯状部材１５は、第１のフラップ１３と同様に、一定の剛性と可撓性とを備えた防水性の性質のものが適しており、例えばポリエステル系やポリオレフィン系の不織布にて形成されている。
これにより、この第２のフラップ部１４は、使用者の排泄物もしくはその液体成分が外側に漏れださないように、第１のフラップ１３の内側で阻止するように作用する。
特に、この第２のフラップ部１４は、弾性材料１７の作用により、第２の領域２２付近では、図３に示すうように、その端部１４ａが起立して使用者の肌に密着するように作用することにより、液体等のシール性が向上することになる。
【００５１】
さらに、本実施形態では、図２に示すように、第２のシート材１２の表面（使用者の肌に当接する側）に初期吸収部３５が設けられている。図２の例では、この初期吸収部３５は、オシメ１０の略中心付近に設けられているが、この位置が必ずしも適切であるわけではなく、この初期吸収部３５を設ける位置については、後述する。
【００５２】
初期吸収部３５は、例えば図示のように第２のシート材１２の表面及びその下の吸収体１６を凹状に加工して形成した第１の液体搬送部としての凹状の溝３６を設け、この凹状の溝３６で囲むことにより、その内側に形成されるものである。
この凹状の溝３６は、例えばエンボス加工等の手法により、図４に示されているように、第２のシート材１２及び吸収体１６を、図４の上方から押圧することにり、溝となる部分を押して圧縮し、凹部となるようにして形成されている。この場合、第２のシート材１２の表面は加工せず、吸収体１６のみに凹部を設けるようにしてもよい。この凹状の溝３６は、図２に示すようにリング状でなり、その内側が円形の初期吸収部３５となっている。
【００５３】
ここで、第１の液体搬送部３６は、吸収体１６の密度を部分的に高くすることにより形成されるものである。つまり、吸収体の密度を部分的に高くすると、密度が低い周囲部分と比べて、毛細管現象により、水分を速やかに吸収することができる。したがって、尿等の液体成分を搬送したい方向にそって、吸収体の密度を高めた領域を形成すると、速やかに液体を当該方向に搬送することができる。
このような液体搬送部の好適な構成例として、上記凹状の溝３６が設けられている。すなわち、吸収体１６を押圧して凹状の溝とすることにより、この溝の下側の吸収材の密度が高くなることにより設けている。これにより、水分は、毛細管現象により、溝の下側の材料の密度が高い箇所に急速に吸い込まれる。
【００５４】
したがって、初期吸収部３５は、使用者により尿等が排出された時に、先ず当たる箇所に形成されていて、その尿等は初期吸収部３５自体に直接吸収されるだけでなく、第１の液体搬送部３６により初期吸収部３５の周囲に急速に吸い込まれて搬送される。そして、この第１の液体搬送部である凹状の溝３６の下側から材料密度の薄い吸収体でなる初期吸収部３５に対して、その周囲から吸収保持されるようになっている。
【００５５】
尚、第１の液体搬送部は、上述のような凹状の溝３６に限らず、これを凹状の溝としなくても、厚みは同じにして、所定の領域の吸収体の材料を周囲より高い密度にすることにより、形成してもよい。
【００５６】
さらに、第２のシート材１２の表面は、図２に示すように、第２の液体搬送部が設けられている。この実施形態では、第２の液体搬送部は、斜めに延びる４本の凹状の溝３１，３２，３３，３４として形成されている。これらの溝の形成方法は上述の溝３６と同じであり、同一の構造である（図３参照）。したがって、凹状の溝３１，３２，３３，３４は、図示のように第２のシート材１２及び吸収体１６を、上方から押圧して、溝となる部分を押して圧縮し、凹部となるようにしてもよいし、第２のシート材１２の表面は加工せず、吸収体１６のみに凹部を設けるようにしてもよい。
これら凹状の溝３１，３２，３３，３４は、図示の場合、それぞれ、一端側が上記初期吸収部３５の周囲の凹状の溝３６と接続しており、他端側は斜めに延びて、特に第２のシート材１２の下の吸収体１６の隅部に達している。
したがって、第２のシート材１２の表面には、初期吸収部３５を中心としてほぼアルファベットのＸ字状に凹状の溝３１，３２，３３，３４の内側の仮想の延長部が初期吸収部３５の中心で交差するようになっている。
【００５７】
本実施形態は以上のように構成されており、次にその作用を説明する。
この実施形態のオシメ１０は、図２にて説明したオシメ１０の各領域２１、２２，２３をそれぞれ使用者の身体の各対応部位に合わせて着用する。
このような着用状態において、使用者が尿や糞、血液等の排泄物を排出した時には次のように作用する。
【００５８】
好ましくは、使用者の身体の排泄部は、初期吸収部３５に当接もしくは対向しており、排泄された尿等の液体成分は、先ずこの初期吸収部３５に当たる。尿の排泄の場合には、きわめて短い時間に多量の尿が放出されるが、この多量の尿等は、は初期吸収部３５自体に直接吸収されるだけでなく、第１の液体搬送部３６により初期吸収部３５の周囲の溝３６の下側の材料密度が高い領域に急速に吸い込まれてリング状に搬送される。そして、この第１の液体搬送部である凹状の溝３６の下側から材料密度の薄い吸収体でなる初期吸収部３５に対して、その周囲から吸収保持される。
【００５９】
一方、溝３６の下側に導かれた尿等は、初期吸収部３５の周囲にあってこれを包囲している第２の液体搬送部である凹状の溝３１，３２，３３，３４の下側に吸収される。これにより、尿等のかなりの部分は、第２のシート材１２の表面上の一部領域にとどまることなく、凹状の溝３１，３２，３３，３４の延びる方向に沿って溝の下側を速やかに移動しつつ、材料密度の高い領域の周囲から吸収体１６に吸収される。
ここで、凹状の溝３１，３２，３３，３４は、図示の場合、それぞれ、一端側が上記初期吸収部３５の周囲の凹状の溝３６と接続しており、材料密度を高くした領域が連続することから、その分初期吸収部３５から凹状の溝３１，３２，３３，３４に液体成分が速やかに移動することができる。
【００６０】
これにより、尿等の液体成分は、第２のシート材１２の隅部に至る全ての面に広がりつつ吸収されるから、従来のように吸収体１６の隅部が機能しないうちに尿等の液体成分がオシメ１０の股部等から漏れてしまうことがない。
【００６１】
ここで、各凹状の溝３１，３２，３３，３４は、初期吸収部３５の周囲の溝３６と接続されていることから、この溝３６の下側に吸収された尿等が直ちに各溝３１，３２，３３，３４の下側に吸収されて、迅速に広がる効果がある。
したがって、好ましくは溝３６は、初期吸収部３５の周囲を完全に囲むことが好ましいが、一部が途切れていても各溝３１，３２，３３，３４に接続されていれば、ほぼ同様の効果がある。
【００６２】
また、製造上の都合等により、各溝３１，３２，３３，３４と初期吸収部３５の周囲の溝３６の接続を省略する場合には、好ましくは使用者の身体の前部側に位置される溝３２，３３だけを接続し、３１，３４は、接続しないようにしてもよい。これにより、オシメ１０を使用者が装着して寝た姿勢をとった時には、尿等を使用者の身体の前面側に導きやすることができる。これにより、この姿勢にて尿等が使用者の背後に集中的に導かれて吸収しきれずに、背面側の端部から漏れてしまうことが防止できる。
【００６３】
図５は、本発明の第２の実施形態を示す上面図である。
図において、第１の実施形態と同一の符号を付した箇所は、共通する構成であるから、重複する説明は省略し、以下相違点を中心に説明する。
第２の実施形態のオシメ４０にあっては、初期吸収部３５は、第１の実施形態と比べると、装着した場合の身体の前面側にあたる第３の領域２３の位置に設けられている。
【００６４】
また、第２の液体搬送部としての凹状の溝４１，４２，４３，４４は、図示するように点線状にのびている。つまり、各溝を形成するエンボス列は、断続的に延びている。
【００６５】
第２の実施形態にかかるオシメ４０は以上のように構成されており、第１の実施形態と同様の作用効果を発揮するが、これに加えて次の作用効果を発揮する。すなわち、初期吸収部３５は、第３の領域２３に位置しているために、特に男性の使用者に関しては、その排泄部に対応させることができる。これによって、男性使用者の場合には、その身体の排泄部が初期吸収部３５に当接しやすい。このため排泄された尿が直ぐに初期吸収部３５に吸収されるために、第２のシート材１２上に滞留することがない。
【００６６】
また、凹状の溝４１，４２，４３，４４は、断続的に設けられている。このため、溝の下側の材料密度が高い領域に吸収された液体成分は、溝が途切れた箇所で材料密度が低い吸収体にしみ込むが、これに続く溝の下側の材料密度が高い箇所にさらに吸引されることになる。このようにして、尿等の液体成分は溝の延びている方向に沿って作用する吸引力によって、導かれることになる。これにより、排泄された尿等は、その分速やかに吸収されることになる。
【００６７】
図６は、本発明の第３の実施形態を示す上面図である。
図において、第１の実施形態と同一の符号を付した箇所は、共通する構成であるから、重複する説明は省略し、以下相違点を中心に説明する。
第３の実施形態のオシメ５０にあっては、第１の初期吸収部５１と第２の初期吸収部５２とが設けられており、第１の初期吸収部５１は、第３の領域２３に位置し、第２の初期吸収部５２は、第２の領域２２に位置している。
【００６８】
また、第１の初期吸収部５１の周囲の第１の液体搬送部である凹状の溝３６から、身体の後方に対応する方向に第２の液体搬送部である凹状の溝５３，５４，５５が形成されている。
このうち、溝５３と５５は吸収体の後方の隅部に向かって斜めに延びており、溝５４は、後方に延びている。
第２の初期吸収部５２の周囲の第１の液体搬送部である凹状の溝３６から、身体の前方に対応する方向に、第２の液体搬送部である凹状の溝５６，５７，５８が形成されている。
このうち、溝５６と５８は吸収体の前方の隅部に向かって斜めに延びており、溝５７は、前方に延びている。
【００６９】
本実施形態は以上のように構成されており、第１の実施形態と同様の作用効果を発揮するとともに、つぎのような作用効果を有している。
第１及び第２の初期吸収部５１と５２は、使用者の身体の前部と股部中心付近の各排泄部に対応している。このため、各排泄部からの液体成分を別々に吸収し、案内することができる。
【００７０】
特に、第１の初期吸収部５１は、身体の中央部に対応しており、各溝５３，５４，５５は、これより後方に延びていることから、使用者が寝た状態において排泄した場合にも、オシメ５０の身体後ろ側に相当する部分の吸収体１６の全域にわたって排泄された液体成分を吸収することができる。
【００７１】
また、第１及び第２の初期吸収部との間にも凹状の溝５９を設けていることから、これらの間にも適切に液体を移動させて吸収することができる。
【００７２】
図７は、本発明の第４の実施形態を示す上面図である。
図において、第１の実施形態と同一の符号を付した箇所は、共通する構成であるから、重複する説明は省略し、以下相違点を中心に説明する。
第４の実施形態のオシメ６０にあっては、第１の実施形態と比較すると、第２の液体搬送部である凹状の溝３１，３２の各端部をつなぐ溝６１と、溝３３，３４の各端部をつなぐ溝６２を備えている点が異なっている。この凹状の溝６１と６２は第３の液体搬送部である。
【００７３】
これらの溝６１と６２とは、第２のシート材１２の下の吸収体１６の側縁部に沿って延びている。そして、この側縁部は、股部１７及び１８の内側に位置している。
これらの溝６１及び６２の構造は、他の凹状の溝３１，３２，３２，３３と同じである。
【００７４】
本実施形態は以上のように構成されており、第１の実施形態と同様の作用効果を発揮するとともに、つぎのような作用効果を有している。
使用者により排泄された尿等の液体成分は、製品の短手方向である横方向に漏れ出ようとした場合にも、各股部１７，１８に達する前に各溝６１，６２の下側の材料密度が高い箇所に吸収される。これによって、溝の下側のの材料密度が高い箇所からその周囲の材料密度が低い吸収体１６に吸収されて、外部に漏れることが防止される。
したがって、本実施形態では、第３の液体搬送部である各溝６１，６２が尿等を案内するとともに、第１及び第のフラップ部１３，１４の作用により、股部からの漏れがほぼ完全に防止される。
尚、この実施形態に付加して、例えば溝６１，６２の内側に同様の溝を平行に複数設けるとさらに完全に横漏れを防止できる。
【００７５】
図８は、本発明の第５の実施形態を示す上面図であり、図９はそのＣ−Ｃ線断面図である。
図において、第１の実施形態と同一の符号を付した箇所は、共通する構成であるから、重複する説明は省略し、以下相違点を中心に説明する。
本実施形態のオシメ７０は、第１の実施形態と比較すると、その第１の液体搬送部７６と、第の液体搬送部７１，７２，７３，７４の構成が異なる。
すなわち、第１の液体搬送部７６は、初期吸収部３５を包囲するように形成した凹状の溝でなり、特にその溝内には、吸収材が収容されている。同様に、第２の液体搬送部７１，７２，７３，７４は、初期吸収部３５から、斜めに延びるように設けた凹状の溝でなり、特にその溝内には、吸収材が収容されている。
【００７６】
図１０は、このように液体搬送部としての凹状の溝に吸収材を配置した状態を詳しく示すために、溝７２の部分を拡大して示した斜視図であり、第１の液体搬送部も第２の液体搬送部もこれと同じ構成である。
図において、第２の液体搬送部の一部である溝７９は、上述したように、例えばエンボス加工等の手法により、第２のシート材１２及び／または吸収体１６を、上方から押圧することにり、溝となる部分を押して圧縮し、凹部となるようにして形成されている。
これにより、吸収体１６ａの溝７９の下側に部分７５は、吸収体の材料の密度が高い領域となっている。この部分が液体搬送部の本体となる。この液体搬送部の本体である部分７５には、上述のように尿等の液体が毛細管現象い基づいて急速に搬送される。
【００７７】
この時、部分７５を搬送される尿等の液体は、吸収体１６ａの他の領域との境界部分７７，７７を介して、この他の領域側へ吸収されつつ、部分７５を搬送されるのである。
そして、溝７９内に例えば上述したポリマー等の吸収材７９が、製造工程においてポリマー散布の手法により配置されている。このため、部分７５を搬送される液体は、境界７７，７７だけでなく、この部分７５の上の境界７８からも、溝７２内の吸収材７９によって吸収されることができる。
このため、オシメ７０にあっては、第１の実施形態の作用効果を発揮できるだけでなく、これに加えて、より多量の尿等の液体を吸収保持することができるのである。
【００７８】
さらに、図１０のように、吸収体１６ａ内に吸収材７９を混入させないで、溝７２内に配置することにより、所定量の吸収材７９を、液体に接触しやすい溝７２内に集めることになるので、高価な吸収材７９を無駄なく機能させることができる。
また、より多くの吸収材７９を利用できる場合には、図１１に示すように、溝７２内だけでなく、吸収体１６ａ内にも散在させるようにパルプ吸収材として構成することもでき、この場合には、より多量の液体を吸収保持することができる。
【００７９】
本発明は上述の実施形態に限定されない。
上述の実施形態ではオシメについて説明したが、本発明は、オシメ以外のこれより小さな吸収性製品，例えば女性用生理用品や、失禁用の補助吸収性製品等種々の製品に応用することができる。
また、図１のオシメに使用者が装着する上で便利な固定用のテープ等の有意な構成を付加して、所謂パンツタイプとした製品も本発明の範囲である。
さらにまた、例えば図２のオシメ１０において、領域２１と２３を長さ方向にやや延長し、この領域２１と２３の両側縁どうしを重ねて固定し、はくことができる製品としたものも本発明の範囲である。
また、上述の各実施形態の各構成部分を任意に組み合わせてもよい。
【００８０】
【発明の効果】
以上述べたように、本発明によれば、装着者の排出する液体等を速やかにシート材の端部方向に導いて、広い範囲で吸収体を機能させることにより、尿等の液体を外部に漏らすことなく、完全に内側にシールできる吸収性製品を提供することができる。
【図面の簡単な説明】
【図１】本発明による吸収性製品の実施形態としてのオシメの概略斜視図である。
【図２】図１のオシメの概略上面図である。
【図３】図２のＡ−Ａ線概略断面図である。
【図４】図２のＢ−Ｂ線概略断面図である。
【図５】本発明による吸収性製品の第２の実施形態を示す概略上面図である。
【図６】本発明による吸収性製品の第３の実施形態を示す概略上面図である。
【図７】本発明による吸収性製品の第４の実施形態を示す概略上面図である。
【図８】本発明による吸収性製品の第５の実施形態を示す概略上面図である。
【図９】図８のＣ−Ｃ線概略断面図である。
【図１０】図８のオシメの液体搬送部の拡大断面を示す部分斜視図である。
【図１１】図８のオシメの液体搬送部の別の構成例の拡大断面を示す部分斜視図である。
【図１２】従来のオシメの一例を示す概略斜視図である。
【符号の説明】
１０・・・オシメ、１１・・・第１のシート材、１２・・・第２のシート材、１３・・・第１のフラップ部、１４・・・第２のフラップ部、１５・・・帯状部材、１６・・・吸収体、３１，３２，３３，３４・・・第２の液体搬送部（凹状の溝）、３５・・・初期吸収部。３６・・・第１の液体搬送部（凹状の溝）
【図１】
0003688960.tif 000002
【図２】
0003688960.tif 000003
【図３】
0003688960.tif 000004
【図４】
0003688960.tif 000005
【図５】
0003688960.tif 000006
【図６】
0003688960.tif 000007
【図７】
0003688960.tif 000008
【図８】
0003688960.tif 000009
【図９】
0003688960.tif 000010
【図１０】
0003688960.tif 000011
【図１１】
0003688960.tif 000012
【図１２】
0003688960.tif 000013